(57)【要約】【課題】スパナを使用することなく、冷媒配管が狭い空間にあっても簡単にキャップの着脱が可能なキャップ付きサービスポートを得る。【解決手段】この発明に係るキャップ付きサービスポートは、ポート本体３内に保持され流体の流出を制御するチャッキ弁を有するとともに流体配管に設けられたサービスポート１に着脱可能にキャップ２が取り付けられたキャップ付きサービスポートであって、ポート本体３には、径方向外側に延びたポート用つば部１０が形成されているとともに、キャップ２には、径外側方向に延びたキャップ用つば部１４が形成されており、ポート用つば部１０およびキャップ用つば部１４に指を掛け互いに反対方向に力を作用することでキャップ２はサービスポート１から着脱するようになっている。【選択図】        図１
2005009776.tif 000002
【特許請求の範囲】
【請求項１】
ポート本体内に保持され流体の流出を制御するチャッキ弁を有するとともに流体配管に設けられたサービスポートに、着脱可能にキャップが取り付けられたキャップ付きサービスポートであって、
前記ポート本体には、径方向外側に延びたポート用つば部が形成されているとともに、前記キャップには、径外側方向に延びたキャップ用つば部が形成されており、
前記ポート用つば部および前記キャップ用つば部に指を掛け互いに反対方向に力を作用することで前記キャップは前記サービスポートから着脱するようになっているキャップ付きサービスポート。
【請求項２】
前記ポート用つば部および前記キャップ用つば部はそれぞれ２カ所以上設けられ、かつポート用つば部および前記キャップ用つば部の数は異なっている請求項１に記載のキャップ付きサービスポート。
【請求項３】
前記流体配管は空調機の冷媒配管である請求項１または請求項２に記載のキャップ付きサービスポート。
【請求項４】
前記流体配管は冷凍機の冷媒配管である請求項１または請求項２に記載のキャップ付きサービスポート。
【発明の詳細な説明】
【０００１】
【発明の属する技術分野】
この発明は、ポート本体内に保持され流体の流出を制御するチャッキ弁を有するとともに流体配管に設けられたサービスポートに、着脱可能にキャップが取り付けられたキャップ付きサービスポートに関するものである。
【０００２】
【従来の技術】
図５は従来のキャップ付きサービスポートの斜視図である。
このキャップ付きサービスポートは、ポート本体２１内に保持され冷媒の流出を制御するチャッキ弁（図示せず）を有するとともに冷媒配管に設けられたサービスポート２０に、着脱可能にキャップ２２が取り付けられて構成されている。
このキャップ２２は、空調機の冷媒回路を構成する軟銅製の冷媒配管内の冷媒が外部に漏れるのを防止するために、ポート本体２１に螺着されている。
【０００３】
そして、例えば、空調機の冷媒回路内の圧力を測定する場合には、まず作業者が２本の第１および第２のスパナ２３、２４を用いてキャップ２２をサービスポート２０から取り外す。この場合、冷媒配管は軟銅製なので、冷媒配管側のポート本体２１に第１のスパナ２３を掛け、キャップ２２に第２のスパナ２４を掛けた後、第２のスパナ２４を用いてキャップ２２に回転モーメントを作用させるが、そのとき第１のスパナ２３には、その回転モーメントがポート本体２１を通じて冷媒配管に作用しないようにするために第２のスパナ２４の回転方向と反対方向に力が加えられる。
【０００４】
その後、チャージホース（図示せず）をポート本体２１に取り付け、チャッキ弁を下動させることで、空調機の冷媒はチャージホースを通じてチャージホースの端部に固定された圧力計（図示せず）に導かれ、そこで冷媒の圧力が測定される。
【０００５】
測定が終了した後は、チャージホースをポート本体２１から取り外し、キャップ２２をサービスポート２０に螺着する。そのときも、作業者は２本の第１および第２のスパナ２３、２４を用いてキャップ２２をポート本体２１に螺着する。この場合も、キャップ２２を取り外したときと同様に、冷媒配管側のポート本体２１に第１のスパナ２３を掛け、キャップ２２に第２のスパナ２４を掛けるが、それぞれの第１のスパナ２３、第２のスパナ２４に加える力の方向はキャップ２２を取り外したときと反対である。
【０００６】
【発明が解決しようとする課題】
上記構成のキャップ付きサービスポートでは、冷媒配管は軟銅製であり、キャップ２２の着脱の際、第２のスパナ２４の回転モーメントがポート本体２１を通じて冷媒配管に及ぶのを第１のスパナ２３を用いて防止しているが、冷媒配管が狭い空間に延びているとき等には、キャップ２の着脱の作業に時間がかかり、またその作業が困難であるという問題点があった。
【０００７】
この発明は、上記のような問題点を解決することを課題とするものであって、スパナを使用することなく、冷媒配管が狭い空間にあっても簡単にキャップの着脱が可能なキャップ付きサービスポートを得ることを目的とする。
【０００８】
【課題を解決するための手段】
この発明に係るサービスポート付きキャップでは、ポート本体には、径方向外側に延びたポート用つば部が形成されているとともに、キャップには、径外側方向に延びたキャップ用つば部が形成されており、前記ポート用つば部および前記キャップ用つば部に指を掛け互いに反対方向に力を作用することで前記キャップは前記サービスポートから着脱するようになっている。
【０００９】
【発明の実施の形態】
実施の形態１．
図１はこの発明の実施の形態１のキャップ付きサービスポートの分解斜視図、図２は図１のサービスポート１およびキャップ２の断面図である。
サービスポート１は、空調機の冷媒回路を構成する軟銅製の流通配管である冷媒配管（図示せず）に固定されている。このサービスポート１は、黄銅製のポート本体３と、このポート本体３内に収納され冷媒の流出を制御するＴ字形状のチャッキ弁４と、このチャッキ弁４をキャップ２側に付勢したスプリング５と、ポート本体３に形成された冷媒通路６の段部７に固定されたＯリング８とを備えている。チャッキ弁４は、スプリング５の弾性力によりＯリング８に当接することで、空調機の冷媒回路内の冷媒が冷媒通路６を通じて外部に流出することが防止される。
ポート本体３は、等分間隔で３カ所にポート用つば部１０が形成されている。ポート本体３のキャップ２側に指向した突出部１１には雄ねじ部９が形成されている。
【００１０】
サービスポート１には、銅製のパッキン１２を介してキャップ２が固定される。このキャップ２は、雄ねじ部９に螺着される雌ねじ部１３が設けられている。また、キャップ２は、径外側方向に延びた一対のキャップ用つば部１４が設けられている。
【００１１】
上記構成のサービスポートでは、空調機の冷媒回路からの冷媒がチャッキ弁４とＯリング８との間の隙間から万が一漏れた場合、その冷媒が外部に漏れるのを防止するために、キャップ２が取り付けられている。
そして、例えば通常点検で、空調機の冷媒回路内の圧力を測定しようとした場合、先ず、最初にキャップ２をサービスポート１から取り外す。その後、このサービスポート１の雄ねじ部９にチャージホース（図示せず）の雌ねじ部を螺着する。この結果、チャッキ弁４はスプリング５の弾性力に逆らって下方向に移動して、チャッキ弁４がＯリング８から離間し、空調機の冷媒は、チャージホースの通路を通じて圧力計に流れ、その圧力が測定される。
【００１２】
ところで、この実施の形態では、キャップ２をサービスポート１から取り外す際には、ポート用つば部１０およびキャップ用つば部１４が利用される。
即ち、図４（ａ）において、例えばポート用つば部１０の矢印Ａの箇所に親指を、キャップ用つば部１４の矢印Ｂの箇所に人差し指をそれぞれ掛け、摘むようにすることで、キャップ用つば部１４は回転し、その方向に回転をし続けることで、キャップ２はサービスポート１から取り外される。
【００１３】
逆に、キャップ２をサービスポート１に取り付ける際には、図４（ｂ）において、例えばポート用つば部１０の矢印Ｃの箇所に親指を、キャップ用つば部１４の矢印Ｄの箇所に人差し指をそれぞれ掛け、摘むようにすることで、ポート用つば部１０は回転し、その方向に回転をし続けることで、キャップ２はサービスポート１に取り付けられる。
【００１４】
このように、この実施の形態では、ポート用つば部１０およびキャップ用つば部１４には、反対方向の回転力が作用しているので、キャップ用つば部１４を通じてポート本体３に作用する力は、ポート用つば部１０を通じて作用する力で相殺され、その力が冷媒配管に及ぶのが防止され、冷媒配管のねじり破損が防止される。
また、キャップ２の取り付け、取り外し作業は、従来のように２本のスパナを使用することなく、片手２本の指で簡単に行うことができる。
また、スパナを使用しなくてよいので、狭い空間での作業がより容易になるとともに、スパナの掛け、外しに要する時間は無くなり、作業性能が向上する。
また、ポート用つば部１０は３カ所に設けられ、キャップ用つば部１４は２カ所に設けられており、つば部の数が異なるので、図４から分かるようにポート用つば部１０とキャップ用つば部１４との間では周方向において間隔が生じる。即ち、ポート用つば部１０およびキャップ用つば部１４を指で確実に摘むことができ、脱着作業性がよい。
【００１５】
なお、上記実施の形態では、空調機の冷媒回路を構成する冷媒配管に設けられたサービスポート１に、キャップが取り付けられたキャップ付きサービスポートについて説明したが、勿論このものに限定されない。例えば、冷凍回路を構成する冷媒配管に設けられたサービスポートに、キャップが取り付けられたキャップ付きサービスポートであってもよい。
また、この発明は、冷媒配管に限定されるものではない。例えば、酸素、窒素等の気体が流れる流体配管内の気体をサービスポートを通じてサンプリングするような場合のキャップ付きサービスポートであってもこの発明は適用される。
また、ポート用つば部１０については、１２０°の等分間隔で総数３カ所に設けられていたが、２カ所、４カ所以上であってもよい。また、キャップ用つば部１４についても、対向して総数２カ所に設けられていたが、ポート用つば部の数と異なるのであれば、３カ所以上でもよい。
【００１６】
【発明の効果】
以上説明したように、この発明に係るキャップ付きサービスポートは、ポート本体に、径方向外側に延びたポート用つば部が形成されているとともに、キャップには、径外側方向に延びたキャップ用つば部が形成されており、前記ポート用つば部および前記キャップ用つば部に指を掛け互いに反対方向に力を作用することで前記キャップは前記サービスポートから着脱するようになっているので、キャップの取り付け、取り外し作業は、従来のようにスパナを使用することなく、片手の指で簡単に行うことができる。
また、スパナを使用しなくてよいので、狭い空間での作業がより容易になるとともに、スパナの掛け、外しに要する時間は無くなり、作業性能が向上する。
【図面の簡単な説明】
【図１】この発明の実施の形態１のキャップ付きサービスポートの分解斜視図である。
【図２】図１のサービスポートおよびキャップの断面図である。
【図３】図１のキャップ付きサービスポートの平面図である。
【図４】図４（ａ）は図１のキャップがサービスポートから外れるときに作用する力の様子を示す図、図４（ｂ）は図１のキャップがサービスポートに取り付けられるときに作用する力の様子を示す図である。
【図５】従来のキャップ付きサービスポートにスパナを使用してキャップを着脱する様子を示す図である。
【符号の説明】
１  サービスポート、２  キャップ、３  ポート本体、４  チャッキ弁、１０ポート用つば部、１４  キャップ用つば部。
【図１】
2005009776.tif 000003
【図２】
2005009776.tif 000004
【図３】
2005009776.tif 000005
【図４】
2005009776.tif 000006
【図５】
2005009776.tif 000007